(57)【特許請求の範囲】
【請求項１】
販売促進装置であって、
運転者に関する運転者情報と、
前記運転者情報に関連付けられている評価結果情報であって、運転者の運転技量の評価結果に関する前記評価結果情報と、
前記評価結果情報の条件に関する技量条件情報と、
前記技量条件情報に関連付けられている広告情報であって、車両に関連する商品およびサービスの少なくともいずれかに関する前記広告情報と、
に基づいて、前記運転者情報に対応する前記広告情報である特定広告情報を選別する選別部と、
前記特定広告情報を、前記特定広告情報に対応する前記運転者情報によって特定される運転者に送信する情報提供部と、
を備えている販売促進装置。
【請求項２】
請求項１に記載の販売促進装置において、
前記評価結果情報が前記技量条件情報を満足するとき、前記選別部は、前記技量条件情報に関連付けられている前記広告情報を、前記評価結果情報に関連付けられている前記運転者情報に対応する前記特定広告情報として選ぶ販売促進装置。
【請求項３】
請求項１または２に記載の販売促進装置において、
前記選別部は、さらに、
前記運転者情報に関連付けられている第１診断情報であって、運転者の車両に関する前記第１診断情報と、
前記広告情報に関連付けられている第１条件情報であって、前記第１診断情報の条件に関する前記第１条件情報と、
に基づいて、前記特定広告情報を選別する販売促進装置。
【請求項４】
請求項３に記載の販売促進装置において、
前記選別部は、前記運転者情報に対応する前記特定広告情報を、当該運転者情報に関連付けられている前記第１診断情報が満足する前記第１条件情報に関連付けられている前記広告情報に限る販売促進装置。
【請求項５】
請求項１から４のいずれかに記載の販売促進装置において、
前記選別部は、さらに、
前記運転者情報と関連付けられている第２診断情報であって、運転者の購入履歴に関する前記第２診断情報と、
前記広告情報と関連付けられている第２条件情報であって、前記第２診断情報の条件に関する前記第２条件情報と、
に基づいて、前記特定広告情報を選ぶ販売促進装置。
【請求項６】
請求項５に記載の販売促進装置において、
前記選別部は、前記運転者情報における前記特定広告情報を、当該運転者情報に関連付けられている前記第２診断情報が満足する前記第２条件情報に関連付けられている前記広告情報に限る販売促進装置。
【請求項７】
請求項１から６のいずれかに記載の販売促進装置において、
前記選別部は、
さらに、前記運転者情報と関連付けられている第３診断情報であって、運転者の車両および運転者の購入履歴の双方に関する前記第３診断情報と、
前記広告情報と関連付けられている第３条件情報であって、前記第３診断情報の条件に関する前記第３条件情報と、
に基づいて、前記特定広告情報を選ぶ販売促進装置。
【請求項８】
請求項７に記載の販売促進装置において、
前記選別部は、前記運転者情報における前記特定広告情報を、当該運転者情報に関連付けられている前記第３診断情報が満足する前記第３条件情報に関連付けられている前記広告情報に限る販売促進装置。
【請求項９】
請求項１から８のいずれかに記載の販売促進装置において、
運転者および運転者の車両の少なくともいずれかの現在位置に関する位置情報に基づいて、前記特定広告情報を提供するか否かを判定するタイミング決定部を備え、
前記タイミング決定部が前記特定広告情報を提供すると判定したときに、前記情報提供部は前記特定広告情報を提供する販売促進装置。
【請求項１０】
請求項１から９のいずれかに記載の販売促進装置において、
前記販売促進装置は、前記販売促進装置のオペレータによって操作され、命令を受け付ける入力部を備え、
前記情報提供部は、前記入力部に入力された命令に基づいて、前記特定広告情報を提供する販売促進装置。
【請求項１１】
請求項１から１０のいずれかに記載の販売促進装置と、
前記販売促進装置と通信可能な運転者用端末と、
を備え、
前記運転者用端末は、
前記特定広告情報を受信する端末用通信部と、
前記特定広告情報を出力する出力部と、
を備える販売促進システム。
【請求項１２】
請求項１１に記載の販売促進システムにおいて、
前記販売促進システムは、さらに、前記販売促進装置と通信可能なサーバを備え、
前記サーバは、
前記運転者情報と前記評価結果情報とを蓄積するサーバ用記憶部と、
前記運転者情報と前記評価結果情報とを送信するサーバ用通信部と、
を有する販売促進システム。
【請求項１３】
請求項１２に記載の販売促進システムにおいて、
前記サーバ用通信部は、さらに、運転者の車両に関する計測データを受信し、
前記サーバは、前記計測データに基づいて前記評価結果情報を算出する評価処理部を備える販売促進システム。
【請求項１４】
販売促進プログラムであって、
運転者に関する運転者情報と、
前記運転者情報と関連付けられている評価結果情報であって、運転者の運転技量の評価結果に関する前記評価結果情報と、
前記評価結果情報の条件に関する技量条件情報と、
前記技量条件情報に関連付けられている広告情報であって、車両に関連する商品およびサービスの少なくともいずれかに関する前記広告情報と、
に基づいて、前記運転者情報に対応する前記広告情報である特定広告情報を選別する処理と、
前記特定広告情報を、前記特定広告情報に対応する前記運転者情報によって特定される運転者に送信する処理と、
を販売促進装置が有するコンピュータに実行させる販売促進プログラム。
【請求項１５】
販売促進方法であって、
運転者に関する運転者情報と、
前記運転者情報に関連付けられている評価結果情報であって、運転者の運転技量の評価結果に関する前記評価結果情報と、
前記評価結果情報の条件に関する技量条件情報と、
前記技量条件情報に関連付けられている広告情報であって、車両に関連する商品およびサービスの少なくともいずれかに関する前記広告情報と、
に基づいて、前記運転者情報に対応する前記広告情報である特定広告情報を選別する工程と、
前記特定広告情報を、前記特定広告情報に対応する前記運転者情報によって特定される運転者に送信する工程と、
を備えた販売促進方法。
【発明の詳細な説明】
【技術分野】
【０００１】
本発明は、販売促進装置、販売促進システム、販売促進プログラムおよび販売促進方法に関する。
【背景技術】
【０００２】
特許文献１は、自動車に関連する商品またはサービスの販売促進システムを開示する。このシステムは、店舗に設置される端末装置と、端末装置と通信可能なサーバを備えている。サーバは、個人基本情報、詳細情報および購入履歴情報を蓄積する。個人基本情報は、顧客に関する。詳細情報は、顧客の車両およびその整備に関する。購入履歴情報は、顧客の購入履歴に関する。端末装置は、個人基本情報、詳細情報および購入履歴情報に基づいて、顧客が次に購入する商品またはサービスを予測し、その商品またはサービスに関する販売促進情報を顧客の通信端末機器に送信する。販売促進情報は、顧客に商品またはサービスの購入を促す情報である。
【先行技術文献】
【特許文献】
【０００３】
【特許文献１】特開２００５−３４６３６２
【発明の概要】
【発明が解決しようとする課題】
【０００４】
このような構成を有する従来例の場合には、次のような問題がある。
一般に、顧客が次に購入する商品またはサービスを精度よく予測することは困難である。従来のように、個人基本情報、詳細情報および購入履歴情報を基礎としても、予測の精度は十分ではない。
【０００５】
本発明は、このような事情に鑑みてなされたものであって、販売を効果的に促進できる販売促進装置、販売促進システム、販売促進プログラムおよび販売促進方法を提供することを目的とする。
【課題を解決するための手段】
【０００６】
本発明は、このような目的を達成するために、次のような構成をとる。
すなわち、本発明は、販売促進装置であって、運転者に関する運転者情報と、前記運転者情報に関連付けられている評価結果情報であって、運転者の運転技量の評価結果に関する前記評価結果情報と、前記評価結果情報の条件に関する技量条件情報と、前記技量条件情報に関連付けられている広告情報であって、車両に関連する商品およびサービスの少なくともいずれかに関する前記広告情報と、に基づいて、前記運転者情報に対応する前記広告情報である特定広告情報を選別する選別部と、前記特定広告情報を、前記特定広告情報に対応する前記運転者情報によって特定される運転者に送信する情報提供部と、を備えている販売促進装置である。
【０００７】
［作用・効果］販売促進装置は、選別部と情報提供部とを備えている。選別部は、運転者情報と評価結果情報と技量条件情報と広告情報に基づいて、運転者情報に対応する特定広告情報を選別する。これにより、選別部は、運転者の運転技量の観点から運転者情報と広告情報を対応させることができる。情報提供部は、特定広告情報を運転者に提供する。このような販売促進装置によれば、運転者の運転技量に見合った商品／サービスを運転者に勧めることができ、販売を効果的に促進できる。
【０００８】
上述した発明において、前記評価結果情報が前記技量条件情報を満足するとき、前記選別部は、前記技量条件情報に関連付けられている前記広告情報を、前記評価結果情報に関連付けられている前記運転者情報に対応する前記特定広告情報として選ぶことが好ましい。選別部は特定広告情報を好適に選別できる。
【０００９】
上述した発明において、前記選別部は、さらに、前記運転者情報に関連付けられている第１診断情報であって、運転者の車両に関する前記第１診断情報と、前記広告情報に関連付けられている第１条件情報であって、前記第１診断情報の条件に関する前記第１条件情報と、に基づいて、前記特定広告情報を選別することが好ましい。選別部は、特定広告情報を選別する際、運転者の運転技量の他に運転者が運転する車両を考慮する。これにより、選別部は、特定広告情報を、運転技量および車両にマッチした商品／サービスに関する広告情報に限ることができる。よって、販売を一層効果的に促進できる。
【００１０】
上述した発明において、前記選別部は、前記運転者情報に対応する前記特定広告情報を、当該運転者情報に関連付けられている前記第１診断情報が満足する前記第１条件情報に関連付けられている前記広告情報に限ることが好ましい。選別部は特定広告情報を好適に選別できる。
【００１１】
上述した発明において、前記選別部は、さらに、前記運転者情報と関連付けられている第２診断情報であって、運転者の購入履歴に関する前記第２診断情報と、前記広告情報と関連付けられている第２条件情報であって、前記第２診断情報の条件に関する前記第２条件情報と、に基づいて、前記特定広告情報を選ぶことが好ましい。特定広告情報を選別する際、運転者の運転技量の他に運転者の購入履歴を考慮する。これにより、選別部は、特定広告情報を、運転者の運転技量および消費行動にマッチした商品／サービスに関する広告情報に限ることができる。よって、販売を一層効果的に促進できる。
【００１２】
上述した発明において、前記選別部は、前記運転者情報における前記特定広告情報を、当該運転者情報に関連付けられている前記第２診断情報が満足する前記第２条件情報に関連付けられている前記広告情報に限ることが好ましい。選別部は特定広告情報を好適に選別できる。
【００１３】
上述した発明において、前記選別部は、さらに、前記運転者情報と関連付けられている第３診断情報であって、運転者の車両および運転者の購入履歴の双方に関する前記第３診断情報と、前記広告情報と関連付けられている第３条件情報であって、前記第３診断情報の条件に関する前記第３条件情報と、に基づいて、前記特定広告情報を選ぶことが好ましい。特定広告情報を選別する際、運転者の運転技量の他に運転者の車両および運転者による購入履歴を考慮する。これにより、選別部は、特定広告情報を、運転者の運転技量、車両および購入履歴にマッチした商品／サービスに関する広告情報に限ることができる。よって、販売を一層効果的に促進できる。
【００１４】
上述した発明において、前記選別部は、前記運転者情報における前記特定広告情報を、当該運転者情報に関連付けられている前記第３診断情報が満足する前記第３条件情報に関連付けられている前記広告情報に限ることが好ましい。選別部は特定広告情報を好適に選別できる。
【００１５】
上述した発明において、運転者および運転者の車両の少なくともいずれかの現在位置に関する位置情報に基づいて、前記特定広告情報を提供するか否かを判定するタイミング決定部を備え、前記タイミング決定部が前記特定広告情報を提供すると判定したときに、前記情報提供部は前記特定広告情報を提供することが好ましい。情報提供部は運転者にとって適切なタイミングで特定広告情報を提示できる。よって、販売を一層効果的に促進できる。
【００１６】
上述した発明において、前記販売促進装置は、前記販売促進装置のオペレータによって操作され、命令を受け付ける入力部を備え、前記情報提供部は、前記入力部に入力された命令に基づいて、前記特定広告情報を提供することが好ましい。販売促進装置のオペレータは、入力部を操作することによって、特定広告情報を提供するタイミングを容易に決定できる。
【００１７】
また、本発明は、上述の販売促進装置と、前記販売促進装置と通信可能な運転者用端末と、を備え、前記運転者用端末は、前記特定広告情報を受信する端末用通信部と、前記特定広告情報を出力する出力部と、を備える販売促進システムである。
【００１８】
［作用・効果］本発明によれば、販売促進装置と運転者用端末とを備えているので、運転者に特定広告情報を好適に提示できる。
【００１９】
上述した発明において、前記販売促進システムは、さらに、前記販売促進装置と通信可能なサーバを備え、前記サーバは、前記運転者情報と前記評価結果情報とを蓄積するサーバ用記憶部と、前記運転者情報と前記評価結果情報とを送信するサーバ用通信部と、を有することが好ましい。サーバを備えているので、評価結果情報を好適に蓄積することができ、評価結果情報を販売促進装置に好適に与えることができる。これにより、販売促進装置の機能を簡素化できる。
【００２０】
上述した発明において、前記サーバ用通信部は、さらに、運転者の車両に関する計測データを受信し、前記サーバは、前記計測データに基づいて前記評価結果情報を算出する評価処理部を備えることが好ましい。サーバは評価結果情報を好適に生成できる。
【００２１】
また、本発明は、販売促進プログラムであって、運転者に関する運転者情報と、前記運転者情報と関連付けられている評価結果情報であって、運転者の運転技量の評価結果に関する前記評価結果情報と、前記評価結果情報の条件に関する技量条件情報と、前記技量条件情報に関連付けられている広告情報であって、車両に関連する商品およびサービスの少なくともいずれかに関する前記広告情報と、に基づいて、前記運転者情報に対応する前記広告情報である特定広告情報を選別する処理と、前記特定広告情報を、前記特定広告情報に対応する前記運転者情報によって特定される運転者に送信する処理と、を販売促進装置が有するコンピュータに実行させる販売促進プログラムである。
【００２２】
［作用・効果］本発明に係る販売促進プログラムによれば、販売促進装置は、特定広告情報を好適に選別し、提供できる。よって、販売を効果的に促進できる。
【００２３】
また、本発明は、販売促進方法であって、運転者に関する運転者情報と、前記運転者情報に関連付けられている評価結果情報であって、運転者の運転技量の評価結果に関する前記評価結果情報と、前記評価結果情報の条件に関する技量条件情報と、前記技量条件情報に関連付けられている広告情報であって、車両に関連する商品およびサービスの少なくともいずれかに関する前記広告情報と、に基づいて、前記運転者情報に対応する前記広告情報である特定広告情報を選別する工程と、前記特定広告情報を、前記特定広告情報に対応する前記運転者情報によって特定される運転者に送信する工程と、を備えた販売促進方法である。
【００２４】
［作用・効果］選別する工程は、運転者の運転技量の観点から運転者情報と特定広告情報を対応させることができる。提供する工程は、特定広告情報を運転者に提示できる。このように、販売促進方法は、運転者の運転技量に見合った商品／サービスを運転者に勧めることができ、販売を効果的に促進できる。
【００２５】
なお、本明細書は、次のような技量判定装置に係る発明も開示している。
【００２６】
（１）上述した発明において、前記運転者情報は運転者の通知先に関する情報を有することが好ましい。特定広告情報を運転者に容易に提供できる。
【００２７】
（２）上述した発明において、前記評価結果情報は、運転者の車両に関する計測データに基づいて算出された情報であることが好ましい。評価結果情報は客観性を有するので、販売を一層効果的に促進できる。
【００２８】
（３）上述した発明において、前記第１診断情報は、運転者が運転する車両の走行環境に関する情報、運転者による車両の操作量に関する情報、および、運転者が運転する車両の挙動に関する情報の少なくともいずれかを含むことが好ましい。選別部は、特定広告情報を、車両にマッチした商品／サービスに関する広告情報に絞り込むことができる。
【００２９】
（４）上述した発明において、前記第１診断情報は、運転者の車両に関する計測データに基づいて算出された情報であることが好ましい。第１診断情報は客観性を有するので、販売を一層効果的に促進できる。
【００３０】
（５）上述した発明において、前記第３診断情報は、運転者が車両に関連する商品およびサービスの少なくともいずれかを購入した後に運転者の車両が走行した距離および時間の少なくともいずれかに関する情報を有することが好ましい。これにより、選別部は、商品の寿命またはサービスの有効期間を考慮して、特定広告情報を絞り込むことができる。
【００３１】
（６）上述した販売促進プログラムを記録したコンピュータ読み取り可能な記録媒体であることが好ましい。上述した販売促進プログラムをコンピュータにインストールすることができ、これにより、販売促進装置を好適に実現できる。
【発明の効果】
【００３２】
本発明によれば、運転者の運転技量に見合った商品／サービスを運転者に勧めることができ、販売を効果的に促進できる。
【図面の簡単な説明】
【００３３】
【図１】実施例１に係る販売促進システムを示す概略構成図である。
【図２】実施例１に係る販売促進システムの動作例を示すフローチャートである。
【図３】評価結果情報等の構成を示す模式図である。
【図４】実施例２に係る販売促進システムの概略構成図である。
【図５】実施例２に係る販売促進システムの動作例を示すフローチャートである。
【図６】評価結果情報等の構成を示す模式図である。
【図７】実施例３に係る販売促進システムの概略構成図である。
【図８】実施例３に係る販売促進システムの動作例を示すフローチャートである。
【図９】評価結果情報等の構成を示す模式図である。
【図１０】実施例４に係る販売促進システムの概略構成図である。
【図１１】実施例４に係る販売促進システムの動作例を示すフローチャートである。
【図１２】評価結果情報等の構成を示す模式図である。
【図１３】実施例５に係る販売促進システムの概略構成図である。
【図１４】実施例５に係る販売促進システムの動作例を示すフローチャートである。
【図１５】車両と各種センサを示す側面図である。
【図１６】評価処理部のブロック図である。
【図１７】変形実施例に係る販売促進システムの概略構成図である。
【図１８】変形実施例に係る販売促進システムの概略構成図である。
【図１９】変形実施例に係る販売促進システムの動作例を示すフローチャートである。
【実施例１】
【００３４】
以下、図面を参照して本発明の実施例１を説明する。
【００３５】
１．販売促進システムの概略構成
図１は、実施例１に係る販売促進システム１を示す概略構成図である。販売促進システム１は、車両に関連する商品およびサービスの少なくともいずれかを運転者Ｍに販売することを促進する。商品は、車両自体および車両の部品を含む。車両の部品は、例えばタイヤやバッテリーである。サービスは、車両の整備とイベントを含む。車両の整備は、例えば、車両の点検、部品交換、修理を含む。イベントは、運転講習会、ツーリング会、競技会などを含む。以下では、「車両に関連する商品およびサービスの少なくともいずれか」を、適宜に「商品等」と略記する。運転者Ｍが運転する車両は、例えば、自動二輪車Ｖである。
【００３６】
販売促進システム１は、サーバ３と販売促進装置５と運転者用端末７とを備えている。販売促進装置５は、例えば、商品等を販売する店舗に設置され、商品等の販売者によって使用される。販売者は、本発明における販売促進装置のオペレータの例である。運転者用端末７は、運転者Ｍによって使用される。
【００３７】
サーバ３と販売促進装置５と運転者用端末７は互いに通信可能である。通信方法は、例えば、電気通信回線網、ＬＡＮ、Ｗｉｆｉ（登録商標）またはＢｌｕｅｔｏｏｔｈ（登録商標）などである。サーバ３、販売促進装置５および運転者用端末７はいずれも、通信機能を備えた情報機器である。情報機器は、例えば、パーソナルコンピュータ、タブレット端末、スマートフォンである。販売促進装置５の情報機器は、例えば、ＰＯＳ（point of sale system）端末であってもよい。情報機器は、ＣＰＵ（Central Processing Unit）、メモリ、通信ＩＦなどを有する。
【００３８】
サーバ３は、サーバ用記憶部１１とサーバ用通信部１３とを備えている。サーバ用記憶部１１は、運転者情報Ｃと評価結果情報Ｅとを記憶する。サーバ用通信部１３は、各種の情報を送受信する。
【００３９】
運転者情報Ｃは、運転者Ｍに関する情報である。評価結果情報Ｅは、運転者Ｍの運転技量の評価結果に関する情報である。同じ運転者Ｍに関する運転者情報Ｃと評価結果情報Ｅとは、互いに関連付けられている。
【００４０】
販売用促進装置５は、受信部２１と装置用記憶部２３と選別部２５と情報提供部２７とを備えている。
【００４１】
受信部２１は、各種の情報を受信する。
【００４２】
装置用記憶部２３は、広告情報Ｄと技量条件情報ｅを記憶する。広告情報Ｄは、商品等に関する情報である。広告情報Ｄは、技量条件情報ｅに関連付けられている。技量条件情報ｅは、評価結果情報Ｅの条件に関する情報である。
【００４３】
選別部２５は、運転者情報Ｃと評価結果情報Ｅと広告情報Ｄと技量条件情報ｅとに基づいて、運転者情報Ｃに対応する広告情報Ｄを選別する。本明細書では、運転者情報Ｃに対応する広告情報Ｄを特に「特定広告情報ＤＳ」と呼ぶ。
【００４４】
情報提供部２７は、特定広告情報ＤＳを運転者Ｍに送信する。
【００４５】
上述した受信部２１と情報提供部２７は、販売促進装置５が有する通信ＩＦによって実現される。装置用記憶部２３は、販売促進装置５が有するメモリによって実現される。選別部２５は、販売促進装置５のＣＰＵが販売促進プログラムを実行することによって実現される機能である。販売促進装置５のＣＰＵは、本発明における、販売促進装置が有するコンピュータの例である。
【００４６】
運転者用端末７は、端末用通信部３１と出力部３３とを備えている。端末用通信部３１は各種の情報を送受信する。出力部３３は情報（例えば、特定広告情報ＤＳ）を出力する。出力部３３は、例えば、ディスプレイである。
【００４７】
２．販売促進システムの動作
各種情報Ｃ、Ｄ、Ｅ、ｅの具体例を示しながら、販売促進システム１の動作例を説明する。図２は、販売促進システム１の動作例を示すフローチャートである。図３は、各種情報Ｃ、Ｄ、Ｅ、ｅを模式的に示す図である。
【００４８】
サーバ用通信部１３は、サーバ用記憶部１１から運転者情報Ｃと評価結果情報Ｅを読み出して、販売促進装置５に送信する（ステップＳ１）。送信された情報Ｃ、Ｅは、受信部２１によって受信される。
【００４９】
図３に示すように、運転者情報Ｃは、運転者Ｍを識別するための識別情報と運転者Ｍの電子メールアドレスを有する。電子メールアドレスは、本発明における「運転者の通知先に関する情報」の例である。評価結果情報Ｅは、運転技量を示す得点である。得点は、例えば、０点から１００点までのいずれかである。
【００５０】
選別部２５は、受信部２３から評価結果情報Ｅを受け、装置用記憶部２３から技量条件情報ｅを読み出す。選別部２５は、評価結果情報Ｅが技量条件情報ｅを満足するか否かを判定する（ステップＳ２）。その結果、評価結果情報Ｅが技量条件情報ｅを満足する場合にはステップＳ３に進む。そうでない場合にはステップＳ４に進む。
【００５１】
図３に示すように、技量条件情報ｅは評価結果情報Ｅ（得点）の範囲である。例えば、評価結果情報Ｅが５０点であり、技量条件情報ｅが３０点から６０点の範囲である場合、評価結果情報Ｅは技量条件情報ｅに含まれるので、評価結果情報Ｅが技量条件情報ｅを満足すると選別部２５は判定する。
【００５２】
選別部２５は、広告情報Ｄを、運転者情報Ｃに対応する特定広告情報ＤＳとして選ぶ（ステップＳ３）。具体的には、選別部２５は、評価結果情報Ｅに関連付けられている運転者情報Ｃと、評価結果情報Ｅに関連付けられている広告情報Ｄとを対応付ける。
【００５３】
図３に示すように、広告情報Ｄは、商品（例えば、ヘルメット）に関するテキストメッセージと画像を有する。
【００５４】
選別部２５は、広告情報Ｄを特定広告情報ＤＳとして選ばない（ステップＳ４）。
【００５５】
情報提供部２７は、運転者情報Ｃに含まれる電子メールアドレスに、特定広告情報ＤＳを送信する（ステップＳ５）。送信された特定広告情報ＤＳは、端末用通信部３１によって受信される。
【００５６】
出力部３３は、端末用通信部３１が受信した特定広告情報ＤＳを表示する（ステップＳ６）。これにより、運転者Ｍは特定広告情報ＤＳを閲覧する。
【００５７】
上述したステップＳ２乃至Ｓ４の処理は、本発明における、特定広告情報を選別する工程の例である。上述したステップＳ５の処理は、本発明における、特定広告情報を提供する工程の例である。
【００５８】
３．効果
このように、選別部２５は、運転者情報Ｃと評価結果情報Ｅと技量条件情報ｅと広告情報Ｄに基づいて、運転者情報Ｃに対応する特定広告情報ＤＳを選別する。これにより、選別部２５は、運転者Ｍの運転技量の観点から運転者情報Ｃと特定広告情報ＤＳを対応させることができる。情報提供部２７は、特定広告情報ＤＳを運転者Ｍに提供する。このような販売促進装置５によれば、運転者Ｍの運転技量に見合った商品等を運転者Ｍに勧めることができ、販売を効果的に促進できる。
【００５９】
また、販売促進システム１は、運転者用端末７を備えているので、運転者Ｍに特定広告情報ＤＳを好適に提示できる。
【００６０】
また、販売促進システム１はサーバ３を備えているので、運転者情報Ｃと評価結果情報Ｅを好適に蓄積することができ、評価結果情報Ｅを販売促進装置５に好適に与えることができる。これにより、販売促進装置５の機能を簡素化できる。
【実施例２】
【００６１】
以下、図面を参照して本発明の実施例２を説明する。実施例２は、複数の観点から特定広告情報ＤＳを選別する。なお、実施例１と同じ構成については同符号を付すことで詳細な説明を省略する。
【００６２】
１．販売促進システムの概略構成
図４は、実施例２に係る販売促進システム１を示す概略構成図である。
【００６３】
サーバ用記憶部１１は、運転者情報Ｃと評価結果情報Ｅと第１診断情報Ｆを記憶する。第１診断情報Ｆは、自動二輪車Ｖに関する情報である。自動二輪車Ｖの第１診断情報Ｆは、その自動二輪車Ｖの運転者Ｍに関する運転者情報Ｃおよび評価結果情報Ｅに関連付けられている。
【００６４】
装置用記憶部２３は、広告情報Ｄと技量条件情報ｅと第１条件情報ｆを記憶する。技量条件情報ｅおよび第１条件情報ｆは、広告情報Ｄに関連付けられている。第１条件情報ｆは、第１診断情報Ｆの条件に関する情報である。
【００６５】
選別部２５は、運転者情報Ｃと評価結果情報Ｅと第１診断情報Ｆと広告情報Ｄと技量条件情報ｅと第１条件情報ｆに基づいて、運転者情報Ｃに対応する特定広告情報ＤＳを選別する。
【００６６】
２．販売促進システムの動作
各種情報Ｃ、Ｄ、Ｅ、Ｆ、ｅ、ｆの具体例を示しながら、販売促進システム１の動作例を説明する。図５は、実施例２に係る販売促進システム１の動作例を示すフローチャートである。図５において、実施例１と同じステップについては同符号を付す。図６は、各種情報Ｃ、Ｄ、Ｅ、Ｆ、ｅ、ｆを模式的に示す図である。
【００６７】
サーバ用通信部１３は、運転者情報Ｃと評価結果情報Ｅと第１診断情報Ｆを、販売促進装置５に送信する（ステップＳ１１）。
【００６８】
図６に示すように、第１診断情報Ｆは、例えば、運転者Ｍが運転する自動二輪車Ｖの走行環境に関する情報である。より具体的には、第１診断情報Ｆは、自動二輪車Ｖの主な利用シーン（主用途）に関する区分である。例えば、主な利用シーンに関する区分は、「レジャー」と「通勤」である。
【００６９】
選別部２５は、評価結果情報Ｅが技量条件情報ｅを満足するか否かを判定する（ステップＳ２）。その結果、評価結果情報Ｅが技量条件情報ｅを満足する場合にはステップＳ１２に進む。そうでない場合にはステップＳ４に進む。
【００７０】
選別部２５は、第１診断情報Ｆが第１条件情報ｆを満足するか否かを判定する（ステップＳ１２）。その結果、第１診断情報Ｆが第１条件情報ｆを満足する場合にはステップＳ３に進む。そうでない場合にはステップＳ４に進む。
【００７１】
図６に示すように、第１診断情報Ｆが「レジャー」であり、第１条件情報ｆが「通勤」である場合、第１診断情報Ｆは第１条件情報ｆと一致しないので、選別部２５は、第１診断情報Ｆが第１条件情報ｆを満足しないと判定する。
【００７２】
ステップＳ３乃至Ｓ６における動作は、実施例１で説明した通りである。上述したステップＳ２乃至Ｓ４およびＳ１２の処理は、本発明における、特定広告情報を選別する工程の例である。
【００７３】
３．効果
このように、選別部２５は、運転技量および自動二輪車Ｖの両方の観点から、特定広告情報ＤＳを選別する。これにより、選別部２５は、特定広告情報ＤＳを、自動二輪車Ｖの主用途にマッチした広告情報Ｄに絞ることができる。よって、販売促進装置５は、販売を一層効果的に促進できる。
【実施例３】
【００７４】
以下、図面を参照して本発明の実施例３を説明する。実施例３は、複数の観点から特定広告情報ＤＳを選別する。また、実施例３は、複数の広告情報Ｄの中から特定広告情報ＤＳを選別する。なお、実施例１と同じ構成については同符号を付すことで詳細な説明を省略する。
【００７５】
１．販売促進システムの概略構成
図７は、実施例３に係る販売促進システム１を示す概略構成図である。
【００７６】
サーバ用記憶部１１は、運転者情報Ｃと、評価結果情報Ｅと、第２診断情報Ｇとを記憶する。第２診断情報Ｇは、運転者Ｍの購入履歴に関する情報である。同じ運転者Ｍに関する運転者情報Ｃ、評価結果情報Ｅおよび第２診断情報Ｇは、互いに関連付けられている。
【００７７】
装置用記憶部２３は、複数の広告情報Ｄ１、Ｄ２を記憶する。広告情報Ｄ１は条件情報ｅ１、ｇ１と関連付けられ、広告情報Ｄ２は、条件情報ｅ２、ｇ２と関連付けられている。条件情報ｅ１、ｅ２はそれぞれ、評価結果情報Ｅの条件に関する技量条件情報である。条件情報ｇ１、ｇ２はそれぞれ、第２診断情報Ｇの条件に関する第２条件情報である。これら条件情報ｅ１、ｅ２、ｇ１、ｇ２も、装置用記憶部２３に記憶されている。なお、以下の説明では、広告情報Ｄ１、Ｄ２を特に区別しない場合には、「広告情報Ｄ」と記載する。同様に、技量条件情報ｅ１、ｅ２を「技量条件情報ｅ」と、第２条件情報ｇ１、ｇ２を「第２条件情報ｇ」と適宜に記載する。
【００７８】
選別部２５は、運転者情報Ｃと評価結果情報Ｅと第２診断情報Ｇと広告情報Ｄと技量条件情報ｅと第２条件情報ｇに基づいて、複数の広告情報Ｄの中から特定広告情報ＤＳを選別する。
【００７９】
２．販売促進システムの動作
各種情報Ｃ、Ｄ、Ｅ、Ｇ、ｅ、ｇの具体例を示しながら、販売促進システム１の動作例を説明する。図８は、実施例３に係る販売促進システム１の動作例を示すフローチャートである。図８において、実施例１と同じステップについては同符号を付す。図９は、各種情報Ｃ、Ｄ、Ｅ、Ｇ、ｅ、ｇを模式的に示す図である。
【００８０】
サーバ用通信部１３は、各種情報Ｃ、Ｅ、Ｇを、販売促進装置５に送信する（ステップＳ１４）。
【００８１】
図９に示すように、第２診断情報Ｇは、運転者Ｍの購入意欲に関する区分である。区分は、例えば、「高」、「中」、「低」である。なお、運転者Ｍの購入意欲に関する区分は、運転者Ｍの購入履歴に基づく。
【００８２】
評価結果情報Ｅが技量条件情報ｅを満足するか否かを判定する（ステップＳ２）。その結果、評価結果情報Ｅが技量条件情報ｅを満足する場合にはステップＳ１５に進む。そうでない場合にはステップＳ４に進む。
【００８３】
選別部２５は、第２診断情報Ｇが第２条件情報ｇを満足するか否かを判定する（ステップＳ１５）。その結果、第２診断情報Ｇが第２条件情報ｇを満足する場合にはステップＳ３に進む。そうでない場合にはステップＳ４に進む。
【００８４】
ステップＳ３乃至Ｓ６における動作は、実施例１で説明した通りである。これにより、１つの広告情報Ｄに対する選別等の処理が終了する。上述したステップＳ２乃至Ｓ４およびＳ１５の処理は、本発明における、特定広告情報を選別する工程の例である。
【００８５】
選別部２５は、全ての広告情報Ｄについて選別を行ったか否かを判断する（ステップＳ１６）。全ての広告情報Ｄについて選別を行っていない場合には、ステップＳ２に戻り、選別が済んでいない広告情報Ｄについて選別等を行う。
【００８６】
図９の例では、評価結果情報Ｅは、技量条件情報ｅ１、ｅ２をそれぞれ満足する。第２診断情報Ｇは、第２条件情報ｇ１を満足しないが、第２条件情報ｇ２を満足する。よって、広告情報Ｄ１は特定広告情報ＤＳとして選別されず、広告情報Ｄ２は特定広告情報ＤＳとして選別される。
【００８７】
３．効果
このように、選別部２５は、運転者Ｍの運転技量および運転者Ｍの購入履歴の観点から、特定広告情報ＤＳを選別する。これにより、選別部２５は、特定広告情報ＤＳを、運転者Ｍの消費行動にマッチした広告情報Ｄに絞ることができる。よって、販売促進装置５は、販売を一層効果的に促進できる。
【００８８】
また、選別部２５は、複数の広告情報Ｄの中から特定広告情報ＤＳを選別するので、運転者Ｍに一層多くの商品等を勧めることができる。
【実施例４】
【００８９】
以下、図面を参照して本発明の実施例４を説明する。実施例４は、複数の観点から特定広告情報ＤＳを選別する。また、実施例４は、複数の運転者Ｍａ、Ｍｂに特定広告情報ＤＳを提供する。なお、実施例１と同じ構成については同符号を付すことで詳細な説明を省略する。
【００９０】
１．販売促進システムの概略構成
図１０は、実施例４に係る販売促進システム１を示す概略構成図である。販売促進システム１は、サーバ３と販売促進装置５と運転者用端末７ａ、７ｂとを備えている。運転者用端末７ａ、７ｂはそれぞれ、運転者Ｍａ、Ｍｂによって使用される。運転者Ｍａ、Ｍｂはそれぞれ、自動二輪車Ｖａ、Ｖｂを運転する。
【００９１】
サーバ用記憶部１１は、運転者Ｍａに関する情報Ｃａ、Ｅａ、Ｈａと、運転者Ｍｂに関する情報Ｃｂ、Ｅｂ、Ｈｂを記憶する。情報Ｃａ、Ｅａ、Ｈａは互いに関連付けられている。情報Ｃｂ、Ｅｂ、Ｈｂは互いに関連付けられている。情報Ｅａ、Ｅｂはそれぞれ、運転者Ｍａ、Ｍｂの運転技量の評価結果に関する情報である。情報Ｈａ、Ｈｂはそれぞれ、運転者Ｍの自動二輪車Ｖおよび運転者Ｍの購入履歴の双方に関する第３診断情報である。
【００９２】
なお、以下の説明では、運転者Ｍａ、Ｍｂを特に区別しない場合には、「運転者Ｍ」と記載する。同様に、評価結果情報Ｅａ、Ｅｂを「評価結果情報Ｅ」と適宜に記載し、第３診断情報Ｈａ、Ｈｂを「第３診断情報Ｈ」と適宜に記載する。
【００９３】
装置用記憶部２３は、広告情報Ｄと技量条件情報ｅと第３条件情報ｈを記憶する。技量条件情報ｅおよび第３条件情報ｈは、広告情報Ｄに関連付けられている。第３条件情報ｈは、第３診断情報Ｈの条件に関する情報である。
【００９４】
選別部２５は、運転者情報Ｃと評価結果情報Ｅと第３診断情報Ｈと広告情報Ｄと技量条件情報ｅと第３条件情報ｈに基づいて、運転者情報Ｃａ、Ｃｂのそれぞれについて特定広告情報ＤＳを選別する。
【００９５】
２．販売促進システムの動作
各種情報Ｃ、Ｄ、Ｅ、Ｈ、ｅ、ｈの具体例を示しながら、販売促進システム１の動作例を説明する。図１１は、実施例４に係る販売促進システム１の動作例を示すフローチャートである。図１１において、実施例１と同じステップについては同符号を付す。図１２は、各種情報Ｃ、Ｄ、Ｅ、Ｈ、ｅ、ｈを模式的に示す図である。
【００９６】
サーバ用通信部１３は、各種情報Ｃａ、Ｃｂ、Ｅａ、Ｅｂ、Ｈａ、Ｈｂを、販売促進装置５に送信する（ステップＳ１７）。
【００９７】
図１２に示すように、第３診断情報Ｈは、タイヤ交換後における自動二輪車Ｖの走行距離に関する情報を含む。タイヤ交換後における自動二輪車Ｖの走行距離に関する情報は、自動二輪車Ｖに関する情報と運転者Ｍの購入履歴に基づく。より具体的には、運転者Ｍの購入履歴に関する情報に基づいて、自動二輪車Ｖのタイヤが最後に交換された時が特定され、自動二輪車Ｖに関する情報に基づいて、自動二輪車Ｖのタイヤが最後に交換された時から現在までの自動二輪車Ｖの走行距離が特定される。
【００９８】
評価結果情報Ｅが技量条件情報ｅを満足するか否かを判定する（ステップＳ２）。その結果、評価結果情報Ｅが技量条件情報ｅを満足する場合にはステップＳ１８に進む。そうでない場合にはステップＳ４に進む。
【００９９】
選別部２５は、第３診断情報Ｈが第３条件情報ｈを満足するか否かを判定する（ステップＳ１８）。その結果、第３診断情報Ｈが第３条件情報ｈを満足する場合にはステップＳ３に進む。そうでない場合にはステップＳ４に進む。
【０１００】
ステップＳ３乃至Ｓ６における動作は、実施例１で説明した通りである。これにより、１つの運転者情報Ｃに対応する特定広告情報ＤＳの選別等の処理が終了する。上述したステップＳ２乃至Ｓ４およびＳ１８の処理は、本発明における、特定広告情報を選別する工程の例である。
【０１０１】
選別部２５は、全ての運転者情報Ｃについて選別を行ったか否かを判断する（ステップＳ１９）。全ての運転者情報Ｃについて選別を行っていない場合には、ステップＳ２に戻り、選別が済んでいない運転者情報Ｃについて選別等を行う。
【０１０２】
図１２の例では、評価結果情報Ｅａおよび第３診断情報Ｈａはそれぞれ、技量条件情報ｅおよび第３条件情報ｈを満足し、広告情報Ｄは運転者情報Ｃａに対応する特定広告情報ＤＳとして選別される。他方、評価結果情報Ｅｂおよび第３診断情報Ｈｂはそれぞれ、技量条件情報ｅおよび第３条件情報ｈを満足せず、広告情報Ｄは運転者情報Ｃｂに対応する特定広告情報ＤＳとして選別されない。
【０１０３】
３．効果
このように、選別部２５は、運転者Ｍの運転技量、運転者Ｍの自動二輪車Ｖおよび運転者Ｍの購入履歴の観点から、特定広告情報ＤＳを選別する。これにより、選別部２５は、特定広告情報ＤＳを、自動二輪車Ｖの状態にマッチした広告情報Ｄに絞ることができる。よって、販売促進装置５は、販売を一層効果的に促進できる。
【０１０４】
また、選別部２５は、複数の運転者Ｍａ、Ｍｂのそれぞれに対して、特定広告情報ＤＳを個別に選別するので、一層多くの運転者Ｍに商品等を勧めることができる。
【実施例５】
【０１０５】
以下、図面を参照して本発明の実施例５を説明する。実施例５は、特定広告情報ＤＳの選別等を行うタイミングを能動的に決定する構成を備えている。なお、実施例１と同じ構成については同符号を付すことで詳細な説明を省略する。
【０１０６】
１．販売促進システムの概略構成
図１３は、実施例５に係る販売促進システム１を示す概略構成図である。
【０１０７】
販売促進システム１は、さらに、運転者用端末８を備えている。運転者用端末８は、自動二輪車Ｖに搭載されている。運転者用端末８は、サーバ３および販売促進装置５と通信可能である。運転者用端末８は情報機器である。すなわち、運転者用端末８は、ＣＰＵ、メモリ、通信ＩＦなどを備えている。
【０１０８】
さらに、運転者用端末８は、ＧＰＳ（Global Positioning System）受信部３５を備えている。ＧＰＳ受信部３５は、各時刻における自動二輪車Ｖの位置を検出する。これにより、運転者用端末８は、自動二輪車Ｖの現在位置に関する位置情報を送信する。
【０１０９】
販売促進装置５は、さらに、タイミング決定部２８と入力部２９を備える。タイミング決定部２８は、自動二輪車Ｖの位置情報に基づいて、特定広告情報ＤＳを提供するか否かを判定する。入力部２９は、販売者によって操作され、命令を受け付ける。
【０１１０】
タイミング決定部２８は、販売促進装置５のＣＰＵが販売促進プログラムを実行することによって実現される機能である。入力部２９は、例えば、キーボード、マウス、タッチパネル、マイクなどで実現される。
【０１１１】
２．販売促進システムの動作
販売促進システム１の動作例を説明する。図１４は、実施例５に係る販売促進システム１の動作例を示すフローチャートである。図１４において、実施例１と同じステップについては同符号を付す。
【０１１２】
ステップＳ１乃至Ｓ４によって、特定広告情報ＤＳが選別される。その結果、特定広告情報ＤＳが抽出されると、以下の動作を実行する。
【０１１３】
すなわち、受信部２１は運転者用端末８から送信された自動二輪車Ｖの位置情報を受信する（ステップＳ２１）。受信部２１は、サーバ３を介して位置情報を受信してもよいし、サーバ３を介さずに位置情報を受信してもよい。
【０１１４】
タイミング決定部２８は、自動二輪車Ｖの位置情報に基づいて、特定広告情報ＤＳを提供すべきか否かを判定する（ステップＳ２２）。例えば、タイミング決定部２８は、自動二輪車Ｖの現在位置が所定のエリア内であれば、特定広告情報ＤＳを提供すべきと判定する。所定のエリアは、例えば、販売促進装置５が設置される店舗を基準に予め設定されている。所定のエリアは、例えば、販売促進装置５が設置される店舗から半径１ｋｍの範囲内である。特定広告情報ＤＳを提供すべきと判定された場合、ステップＳ５に進む。そうでない場合にはステップＳ２３に進む。
【０１１５】
特定広告情報ＤＳの提供を実行する命令（以下、「提供命令」と適宜に呼ぶ）を入力部２９が受け付けた場合には、ステップＳ５に進み、そうでない場合には、ステップＳ２２に戻る（ステップＳ２３）。
【０１１６】
その結果、タイミング決定部２８が特定広告情報ＤＳを提供すべきと判定したとき、または、入力部２９が提供命令を受け付けたときに、情報提供部２７は、特定広告情報ＤＳの提供を開始する（ステップＳ５）。
【０１１７】
３．効果
このように、タイミング決定部２８は、情報提供部２７が特定広告情報ＤＳを提供するタイミングを適切に決定できる。例えば、自動二輪車Ｖが店舗の近くを走行しているときに当該自動二輪車Ｖの運転者Ｍに特定広告情報ＤＳを提供できる。よって、販売を一層効果的に促進できる。
【０１１８】
販売促進装置５は入力部２９を備えているので、販売者が入力部２９を操作することによって、販売者は特定広告情報ＤＳを提供するタイミングを容易に決定できる。
【０１１９】
本発明は、上記実施例のものに限らず、次のように変形実施することができる。
【０１２０】
（１）運転者情報Ｃについて
上述した実施例では、図３等に運転者情報Ｃを例示したが、これに限られない。運転者情報Ｃは、運転者Ｍの通知先に関する情報のみを含んでもよい。あるいは、運転者情報Ｃは、運転者Ｍの通知先に関する情報の他に、以下の項目に関する情報の少なくともいずれかを含んでもよい。
・運転者Ｍの名前
・運転者Ｍの識別情報
・運転者Ｍの所在地（住所、郵便番号）
・運転者Ｍの電話番号
・運転者Ｍの支払形態
・運転者Ｍの性別
・運転者Ｍの生年月日
【０１２１】
（２）評価結果情報Ｅおよび第１−第３診断情報Ｆ−Ｈの生成方法と形式
第１−第３診断情報Ｅ−Ｈの生成方法については特に説明しなかったが、種々の方法で生成できる。例えば、運転者Ｍが自動二輪車Ｖを運転しているときの自動二輪車Ｖに関する計測データに基づいて情報Ｅ−Ｈの少なくともいずれかを算出してもよい。この場合、販売促進システム１が当該情報を算出するための手段（例えば、後述する評価処理部７１）を備えてもよい。あるいは、運転者Ｍや販売者等が情報Ｅ−Ｈの少なくともいずれかを登録してもよい。この場合、販売促進システム１が当該情報を入力するための手段を備えてもよい。さらに、情報の生成方法に応じて、情報の形式（得点、値、区分）を適宜に変更してもよい。
【０１２２】
（３）計測データに基づく評価結果情報Ｅの生成方法
以下では、計測データに基づいて評価結果情報Ｅを算出する方法を例示する。まず、自動二輪車Ｖに関する計測データを例示する。計測データは、例えば、３つのグループａ乃至ｃに大別される。各グループａ乃至ｃに属する計測データを以下に例示する。
【０１２３】
グループａ：自動二輪車Ｖの挙動に関する計測データ
・車両角度（ヨー角度、ロール角度、ピッチ角度）
・車両角速度（ヨーレート、ロールレート、ピッチレート）
・車両加速度（ヨー方向、ロール方向およびピッチ方向の加速度）
・車輪用サスペンションの伸縮量
・車速（車輪速を含む）
・エンジン回転数
【０１２４】
グループｂ：運転者Ｍの操作に関する計測データ
・ステアリング角度
・ブレーキフルードの圧力
・シフトポジション
・スロットル開度
・運転者Ｍによるクラッチレバーの操作
【０１２５】
グループｃ：自動二輪車Ｖの走行環境に関する計測データ
・外気温
・自動二輪車Ｖの周囲および路面を撮影した画像
・自動二輪車Ｖの位置
・走行距離
・走行時間
【０１２６】
次に、上述した計測データを取得するセンサを例示する。図１５は、センサ４１乃至５５を例示する。
【０１２７】
ステアリング角度センサ４１は、ハンドル６１の舵角（ステアリング角度）を計測する。前輪速センサ４２は、前輪６２の車輪速を計測する。後輪速センサ４３は、後輪６３の車輪速を計測する。前輪ブレーキ圧センサ４４は、前輪６２用のブレーキフルードの圧力を計測する。後輪ブレーキ圧センサ４５は、後輪６３用のブレーキフルードの圧力を計測する。前輪用サスペンションストロークセンサ４６は、フロントフォーク６４（車輪用サスペンション）の伸縮量を計測する。後輪用サスペンションストロークセンサ４７は、緩衝器６５（車輪用サスペンション）の伸縮量を計測する。クラッチ操作センサ４８は、クラッチレバーの操作を計測する。エンジン回転数センサ４９は、エンジン６６の回転数を計測する。ギヤポジションセンサ５０は、シフトポジションを計測する。スロットル開度センサ５１は、スロットル開度を計測する。温度計５２は、外気温を計測する。ＧＰＳ受信部５３は、自動二輪車Ｖの位置を計測する。ＧＰＳ受信部５３によって取得される位置情報は、車速、走行距離および走行時間の基礎となる。９軸センサ５４は、自動二輪車Ｖの車両角度、車両角速度および車両加速度を計測する。カメラ５５は、自動二輪車Ｖの周囲および路面の画像を取得する。
【０１２８】
運転者用端末８は、上述したセンサ４１乃至５５から計測データを受け取る。この際、運転者用端末８は、自動二輪車Ｖが有するＥＣＵ（Electronic Control Unit；電子制御ユニット）を介して、計測データを受信してもよい。そして、運転者用端末８は、計測データをサーバ３に送信する。
【０１２９】
なお、上述したセンサ４１乃至５５以外のセンサを自動二輪車Ｖに取り付けてもよい。例えば、車両角度および車両角速度を計測するジャイロセンサや、車両加速度を計測する加速度センサを自動二輪車Ｖに取り付けてもよい。また、図１５の例では、上述したセンサ４１乃至５５は運転者用端末８の外部に設けられていたが、これに限られない。すなわち、センサ４１乃至５５の一部または全部を運転者用端末８の内部に設けてもよい。
【０１３０】
続いて、計測データに基づいて評価結果情報Ｅを算出する手法を例示する。図１６は、評価結果情報Ｅを算出する評価処理部７１のブロック図である。図１６の例では、評価処理部７１は、ＧＰＳ受信部５３と９軸センサ５４との計測データに基づいて評価結果情報Ｅを算出する。
【０１３１】
評価処理部７１は、評価期間決定部７２と成分分離部７３と車両安定特性評価部７４と旋回特性評価部７５と総合評価部７６を有する。
【０１３２】
評価期間決定部７２は、車両角速度に基づいて評価期間を決定する。例えば、評価期間は、ヨーレートの絶対値が所定時間以上にわたって所定値以上である期間である。
【０１３３】
成分分離部７３は、車両角度に基づいて、評価期間における車両角度の低周波成分および高周波成分を抽出する。成分分離部７３は、評価期間における車両角速度の低周波成分および高周波成分を抽出する。低周波成分および高周波成分を抽出する際、成分分離部７３は、ローパスフィルタやバンドパスフィルタを適宜に使用する。
【０１３４】
車両安定特性評価部７４は、評価期間における車両角速度の低周波成分および高周波成分に基づいて、ヨーレート、ロールレートおよびピッチレートに関する車両安定特性指標Ｓyaw，Ｓroll，Ｓpitchをそれぞれ算出する。例えば、ヨーレートに関する車両安定特性指標Ｓyawは、ヨーレートの低周波成分の絶対値の積分値と、ヨーレートの高周波成分の絶対値の積分値との比率である。さらに、車両安定特性評価部７４は、車両安定特性指標Ｓyaw，Ｓroll，Ｓpitchに基づいて、車両安定特性得点ＳＶを算出する。車両安定特性得点ＳＶは、車両安定特性指標Ｓyaw，Ｓroll，Ｓpitchの重みづけ線形和を算出する。
【０１３５】
旋回特性評価部７５は、評価期間における車両角度の低周波成分に基づいて、ロール角度およびピッチ角度の旋回特性指標Ｔroll、Ｔpitchをそれぞれ算出する。えば、ロール角度に関する旋回特性指標Ｔrollは、ロール角度の低周波成分の絶対値の積分値である。旋回特性評価部７５は、評価期間における自動二輪車Ｖの位置情報に基づいて、評価期間における平均車速Ｔspeedを算出する。旋回特性評価部７５は、さらに、旋回特性指標Ｔroll，Ｔpitchと平均車速Ｔspeedに基づいて、旋回特性得点Ｔｖを算出する。旋回特性得点Ｔｖは、旋回特性指標Ｔroll，Ｔpitchと平均車速Ｔspeedの重みづけ線形和である。
【０１３６】
総合評価部７６は、車両安定特性得点Ｓｖと旋回特性得点Ｔｖとに基づいて、総合特性得点Ｕを算出する。総合特性得点Ｕは、車両安定特性得点Ｓｖと旋回特性得点Ｔｖの重み付け線形和である。
【０１３７】
ここで、評価処理部７１は、得点ＳＶ、Ｔｖ、Ｕの少なくとも１つ以上を評価結果情報Ｅと扱う。例えば、得点Ｕを評価結果情報Ｅと扱ってもよい。あるいは、得点ＳＶ、Ｔｖの両方を評価結果情報Ｅとして扱ってもよい。
【０１３８】
販売促進システム１が上述した評価処理部７１を備える場合、評価処理部７１の一部または全部を、サーバ３の要素としてもよい。あるいは、評価処理部７１の一部または全部を、運転者用端末８の要素としてもよい。図１７は、サーバ３が評価処理部７１を備える構成例を示す。この変形実施例によれば、サーバ３は評価結果情報Ｅを好適に算出できる。
【０１３９】
なお、上述した評価結果情報Ｅの算出方法では、車両角度と車両角速度と自動二輪車Ｖの位置に関する計測データを使用したが、これに限られない。例えば、ヨー角度、ロール角度、ピッチ角度、ヨーレート、ロールレート、ピッチレート、車速、ステアリング角度の少なくともいずれかに基づいて、評価結果情報Ｅを算出してもよい。
【０１４０】
（４）第１診断情報Ｆの内容について
上述した実施例において、第１診断情報Ｆとして、運転者Ｍが運転する自動二輪車Ｖの走行環境に関する情報を例示したが、これに限られない。第１診断情報Ｆは、例えば、以下の項目に関する情報の少なくともいずれかを含んでいてもよい。
Ｆ１．運転者Ｍが運転する自動二輪車Ｖの挙動に関する情報
Ｆ２．運転者Ｍによる自動二輪車Ｖの操作量に関する情報
Ｆ３．運転者Ｍが運転する自動二輪車Ｖの走行環境に関する情報
【０１４１】
情報Ｆ１の具体例を以下に例示する。
・自動二輪車Ｖの振動（区分：「正常振動」、「異常振動」」
・上述したグループａに属する１つ以上の計測データそのもの
【０１４２】
情報Ｆ２の具体例を以下に例示する。
・ブレーキの操作量（区分：「多い」、「少ない」）
・スロットルの操作量（区分：「多い」、「少ない」）
・シフトチェンジの操作量（区分：「多い」、「少ない」）
・上述したグループｂに属する１つ以上の計測データそのもの
【０１４３】
情報Ｆ３の具体例を以下に例示する。
・自動二輪車Ｖの主な利用シーン（区分：「レジャー」、「通勤」）
・自動二輪車Ｖの主な走行時間帯（区分：「昼」、「夜」）
・自動二輪車Ｖの主な走路（区分：「舗装路」、「未舗装路」）
・自動二輪車Ｖの走行中の外気温（区分：「高温」、「低温」）
・上述したグループｃに属する１つ以上の計測データそのもの
【０１４４】
なお、上述した変形実施例（２）で説明したとおり、第１診断情報Ｆが情報Ｆ１乃至Ｆ３のいずれであっても、第１診断情報Ｆは、運転者Ｍまたは販売者等によって登録された情報であってもよいし、計測データに基づいて算出された情報であってもよい。情報Ｆ１を算出する場合には、グループａに属する１つ以上の計測データを基礎とすることが好ましい。情報Ｆ２を算出する場合には、グループｂに属する１つ以上の計測データを基礎とすることが好ましい。情報Ｆ３を算出する場合には、グループｃに属する１つ以上の計測データを基礎とすることが好ましい。
【０１４５】
（５）第２診断情報Ｇの内容について
上述した実施例において、第２診断情報Ｇとして、運転者Ｍの購入意欲に関する情報を例示したが、これに限られない。第２診断情報Ｇは、例えば、以下の項目に関する情報の少なくともいずれかを含んでいてもよい。
Ｇ１．運転者Ｍの購入意欲に関する情報
Ｇ２．運転者Ｍの今までの購入金額の合計額
Ｇ３．購入日と購入品目と購入金額
【０１４６】
（６）第３診断情報Ｈの内容について
上述した実施例において、第３診断情報Ｈとして、タイヤ交換後における自動二輪車Ｖの走行距離に関する情報を例示したが、これに限られない。例えば、第３診断情報Ｈは、タイヤ交換後における自動二輪車Ｖの走行時間に関する情報であってもよい。また、第３診断情報Ｈは、例えば、以下の項目に関する情報の少なくともいずれかを含んでいてもよい。
Ｈ１．商品等の購入後における自動二輪車Ｖの走行距離に関する情報
Ｈ２．商品等の購入後における自動二輪車Ｖの走行時間に関する情報
なお、「商品等」が「車両の整備」である場合、「商品等の購入後」は、「車両の整備後」と同じ意味である。
【０１４７】
（７）上述した実施例において、運転者用端末８は、運転者用端末７とは別個であったが、これに限られない。例えば、運転者用端末７を自動二輪車Ｖに搭載してもよい。あるいは、運転者用端末８は、ＥＣＵによって実現されてもよい。
【０１４８】
（８）広告情報Ｄを図３等に例示したが、これに限られない。広告情報Ｄは、音声情報を含んでもよい。あるいは、広告情報Ｄは、音声情報のみからなる情報であってもよい。
【０１４９】
（９）上述した実施例２−４では、第１−第３診断情報Ｆ−Ｈのいずれか１つと、評価結果情報Ｅとを用いて、特定広告情報ＤＳを選別したが、これに限られない。例えば、第１−第３診断情報Ｆ−Ｈの２つ以上と、評価結果情報Ｅとを用いて、特定広告情報ＤＳを選別してもよい。
【０１５０】
図１８を参照する。サーバ用記憶部１１は、運転者情報Ｃと評価結果情報Ｅと第１−第３診断情報Ｆ−Ｈを記憶する。また、装置用記憶部２３は、広告情報Ｄと技量条件情報ｅと第１−第３条件情報ｆ−ｈを記憶する。このような変形実施例によれば、選別部２５は、評価結果情報Ｅと第１−第３診断情報Ｆ−Ｈと技量条件情報ｅと第１−第３条件情報ｆ−ｈとに基づいて、特定広告情報ＤＳを選別できる。
【０１５１】
この変形実施例では、評価結果情報Ｅが技量条件情報ｅを満足し、かつ、第１−第３診断情報Ｆ−Ｈの一部が第１−第３条件情報ｆ−ｈを満足するとき、特定広告情報ＤＳを抽出してもよい。あるいは、評価結果情報Ｅが技量条件情報ｅを満足し、かつ、第１−第３診断情報Ｆ−Ｈの全部が第１−第３条件情報ｆ−ｈを満足するときに、特定広告情報ＤＳを抽出してもよい。
【０１５２】
図１９を参照して、変形実施例の１つの動作例を説明する。なお、図１９において、実施例１と同じステップについては同符号を付す。
【０１５３】
サーバ用通信部１３は、各種情報Ｃ、Ｅ乃至Ｈを販売促進装置５に送信する（ステップＳ２５）。
【０１５４】
選別部２５は、評価結果情報Ｅが技量条件情報ｅを満足するか否かを判定する（ステップＳ２）。その結果、評価結果情報Ｅが技量条件情報ｅを満足する場合にはステップＳ２６に進む。そうでない場合にはステップＳ４に進む。
【０１５５】
選別部２５は、第１診断情報Ｆが第１条件情報ｆを満足するか否かを判定する（ステップＳ２６）。その結果、第１診断情報Ｆが第１条件情報ｆを満足する場合にはステップＳ３に進む。そうでない場合にはステップＳ２７に進む。
【０１５６】
選別部２５は、第２診断情報Ｇが第２条件情報ｇを満足するか否かを判定する（ステップＳ２７）。その結果、第２診断情報Ｇが第２条件情報ｇを満足する場合にはステップＳ３に進む。そうでない場合にはステップＳ２８に進む。
【０１５７】
選別部２５は、第３診断情報Ｈが第３条件情報ｈを満足するか否かを判定する（ステップＳ２８）。その結果、第３診断情報Ｈが第３条件情報ｈを満足する場合にはステップＳ３に進む。そうでない場合にはステップＳ４に進む。
【０１５８】
ステップＳ３乃至Ｓ６における動作は、実施例１で説明した通りである。上述したステップＳ２乃至Ｓ４およびＳ２６乃至Ｓ２８の処理は、本発明における、特定広告情報を選別する工程の例である。
【０１５９】
このように、図１９に示す動作例では、評価結果情報Ｅが技量条件情報ｅを満足し、かつ、第１−第３診断情報Ｆ−Ｈの１つ以上が第１−第３条件情報ｆ−ｈを満足するとき、特定広告情報ＤＳを抽出する。
【０１６０】
（１０）上述した実施例５では、タイミング決定部２８は、特定広告情報ＤＳを提供するタイミングを決定したが、これに限られない。例えば、タイミング決定部２８は、特定広告情報ＤＳを選別するタイミングを決定してもよい。すなわち、タイミング決定部２８が特定広告情報ＤＳを提供すると判定したときに、選別部２５が特定広告情報ＤＳの選別を開始してもよい。
【０１６１】
（１１）上述した実施例５では、タイミング決定部２８は、自動二輪車Ｖの位置情報に基づいて、特定広告情報ＤＳを提供するか否かを判定したが、これに限られない。例えば、運転者Ｍおよび運転者Ｍの自動二輪車Ｖの少なくともいずれかの現在位置に関する位置情報に基づいて、特定広告情報ＤＳを提供するか否かを判定してもよい。このような変形実施例によっても、情報提供部２７は適切なタイミングで特定広告情報ＤＳを提供できる。例えば、運転者Ｍが店舗の近くにいるときに運転者Ｍに特定広告情報ＤＳを提供できる。
【０１６２】
（１２）上述した実施例では、販売促進システム１は、１つの販売促進装置５を備えていたが、これに限られない。すなわち、販売促進システム１は、複数の販売促進装置５を備えてもよい。これによれば、より多くの運転者Ｍに特定広告情報ＤＳを提供できる。
【０１６３】
（１３）上述した各実施例において説明した販売促進プログラムは、コンピュータ読み取り可能な記録媒体に記録されてもよい。記録媒体は、たとえば、ＣＤ−ＲＯＭ、ＤＶＤ−ＲＯＭである。また、販売促進プログラムは、ネットワークを介して送信（ダウンロード）可能にサーバに格納されていてもよい。
【０１６４】
（１４）上述した各実施例では、車両として自動二輪車Ｖを例示したが、これに限られない。例えば、車両は、自動三輪車や自動四輪車であってもよい。
【０１６５】
（１５）出力部３３としてディスプレイを例示したが、これに限られない。出力部３３は、ディスプレイとスピーカであってもよい。あるいは、出力部３３は、スピーカのみであってもよい。
【０１６６】
（１６）上述した実施例および上記（１）から（１５）で説明した各変形実施例については、さらに各構成を他の変形実施例の構成に置換または組み合わせるなどして適宜に変更してもよい。
【符号の説明】
【０１６７】
１    …  販売促進システム
３    …  サーバ
５  …  販売促進装置
７、７ａ、７ｂ、８  …  運転者用端末
１１  …  サーバ用記憶部
１３  …  サーバ用通信部
２１  …  受信部
２３  …  装置用記憶部
２５  …  選別部
２７  …  情報提供部
２８  …  タイミング決定部
２９  …入力部
３１  …  端末用通信部
３３  …  出力部
７１  …  評価処理部
Ｃ、Ｃａ、Ｃｂ  …  運転者情報
Ｄ、Ｄ１、Ｄ２  …  広告情報
ＤＳ  …  特定広告情報
Ｅ、Ｅａ、Ｅｂ  …  評価結果情報
ｅ、ｅ１、ｅ２  …  技量条件情報
Ｆ    …  第１診断情報
ｆ    …  第１条件情報
Ｇ    …  第２診断情報
ｇ、ｇ１、ｇ２  …  第２条件情報
Ｈ、Ｈａ、Ｈｂ  …  第３診断情報
ｈ  …  第３条件情報ｈ
Ｍ、Ｍａ、Ｍｂ  …  運転者
Ｖ、Ｖａ、Ｖｂ  …  自動二輪車
【図１】
0006291401.tif 000002
【図２】
0006291401.tif 000003
【図３】
0006291401.tif 000004
【図４】
0006291401.tif 000005
【図５】
0006291401.tif 000006
【図６】
0006291401.tif 000007
【図７】
0006291401.tif 000008
【図８】
0006291401.tif 000009
【図９】
0006291401.tif 000010
【図１０】
0006291401.tif 000011
【図１１】
0006291401.tif 000012
【図１２】
0006291401.tif 000013
【図１３】
0006291401.tif 000014
【図１４】
0006291401.tif 000015
【図１５】
0006291401.tif 000016
【図１６】
0006291401.tif 000017
【図１７】
0006291401.tif 000018
【図１８】
0006291401.tif 000019
【図１９】
0006291401.tif 000020